(57)【要約】【課題】  体内水分計において、センサ部の耐摩耗性の向上と製造コストの低減を両立させるとともに、測定精度の向上を図る。【解決手段】  表裏に配線可能なプリント基板が複数積層された多層構造によって構成されたセンサであって、前記複数積層されたプリント基板のうち、被検者の体表面に接触する第１の面を有する第１の段に配されたプリント基板は、該第１の面と反対側の第２の面に、被検者の体表面の静電容量を測定するための２つの櫛形の電極が、それぞれの櫛歯が互い違いになるように配置されており、かつ、前記２つの櫛形の電極は、それぞれ、幅が０．２ｍｍ〜０．８ｍｍ、長さが４ｍｍ〜６ｍｍの櫛歯が、０．２ｍｍ〜０．８ｍｍの間隔で６本配されてなることを特徴とする。【選択図】  図４
2015097546.tif 000002
【特許請求の範囲】
【請求項１】
表裏に配線可能なプリント基板が複数積層された多層構造によって構成されたセンサであって、
前記複数積層されたプリント基板のうち、被検者の体表面に接触する第１の面を有する第１の段に配されたプリント基板は、該第１の面と反対側の第２の面に、被検者の体表面の静電容量を測定するための２つの櫛形の電極が、それぞれの櫛歯が互い違いになるように配置されており、かつ、
前記２つの櫛形の電極は、それぞれ、幅が０．２ｍｍ〜０．８ｍｍ、長さが４ｍｍ〜６ｍｍの櫛歯が、０．２ｍｍ〜０．８ｍｍの間隔で６本配されてなることを特徴とするセンサ。
【請求項２】
前記２つの櫛形の電極の長辺部は、４〜６ｍｍの間隔で配置されていることを特徴とする請求項１に記載のセンサ。
【請求項３】
前記第１の段に配されたプリント基板は、縦８ｍｍ〜１２ｍｍ、横５ｍｍ〜８ｍｍ、厚さ０．６ｍｍ〜１．５ｍｍであることを特徴とする請求項１に記載のセンサ。
【請求項４】
前記プリント基板は、ガラスエポキシ基板であることを特徴とする請求項１乃至３のいずれか１項に記載のセンサ。
【請求項５】
前記プリント基板は２枚が積層され、４層構造により構成されていることを特徴とする請求項１乃至４のいずれか１項に記載のセンサ。
【請求項６】
前記２つの櫛形の電極は、それぞれ、幅が０．４ｍｍで、長さが６ｍｍの櫛歯が、０．４ｍｍの間隔で６本配されていることを特徴とする請求項１乃至５のいずれか１項に記載のセンサ。
【請求項７】
請求項１乃至６のいずれか１項に記載のセンサを有し、該センサを用いて測定された被検者の体表面の静電容量に基づいて、該被検者の体内の水分量を算出することを特徴とする体内水分計。
【発明の詳細な説明】
【技術分野】
【０００１】
本発明は、被検者の生体内の水分量を測定する体内水分計及び該体内水分計のセンサに関するものである。
【背景技術】
【０００２】
被検者の生体内の水分量を測定することは重要である。生体における脱水症状は、生体内の水分が減少する病態であり、発汗や体温上昇により多くの水分が体内から体外に排出される運動時や気温の高い時に多く発現する。特に、高齢者の場合、生体の水分保持能力自体が低下しているため、一般健常者と比較して脱水症状を起こし易い。
【０００３】
通常、生体内の水分が体重の３％以上失われた時点で体温調整の障害が起こると言われている。体温調整の障害が起こり体温が上昇すると、生体内の更なる水分の減少を引き起こすため悪循環に陥り、遂には熱中症と称される病態に至ることとなる。熱中症には、熱痙攣、熱疲労、熱射病等の病態があり、時には全身の臓器障害が起こることもある。このため、熱中症に至る危険を未然に回避すべく、生体内の水分量を的確に把握することは重要である。
【０００４】
このような背景のもと、本願出願人は、生体内の水分量を的確に把握するのに適した部位として、被検者の腋窩に着目しており、当該腋窩に電極を配したセンサ部をあてがい、当該電極間の静電容量を測定することで、被検者の生体内の水分量を算出する体内水分計の開発に取り組んでいる。
【０００５】
一方で、従来より、被検者の体表面に、ガラス等の保護材でコートされた電極を配したセンサ部をあてがい、電極間の静電容量を測定することで、被検者の水分量を算出する水分計が知られている（例えば、下記特許文献１参照）。
【先行技術文献】
【特許文献】
【０００６】
【特許文献１】特開２００３−１６９７８８号公報
【発明の概要】
【発明が解決しようとする課題】
【０００７】
しかしながら、被検者の体表面にセンサ部を直接接触させ、電極間の静電容量を測定することで水分量を算出する水分計の場合、電極の表面にコートされた保護材の摩耗や破損に対する対策を十分に考慮しておく必要がある。コートされた保護材が摩耗したり破損したりすると、電極の一部が剥き出しの状態となり、そこから静電気が入った場合、内部の回路が破壊される恐れがあるからである。特に、被検者の脱水症状の判定等、医療現場において用いられる体内水分計の場合、保護材の摩耗や破損は極力回避されなければならず、耐摩耗性に優れた保護材を適用することが重要となってくる。
【０００８】
一方で、電極の表面にコートされる保護材は、電極間の静電容量に影響を及ぼすことから、耐摩耗性に優れているだけでなく、体内の水分量の測定に際して、許容される静電容量を有した材質であることが不可欠である。更には、電極の表面を覆うにあたっての製造工程が容易であり、かつ、その際の製造コストも安価であることが望ましい。
【０００９】
加えて、そのような保護材を用いた場合の、最適な電極配置についても検討することが重要となってくる。医療現場において用いられる体内水分計の場合、測定結果に対応した処置を被検者に施すため、高い測定精度が要求されるからである。
【００１０】
本発明は上記課題に鑑みてなされたものであり、体内水分計において、センサ部の耐摩耗性の向上と製造コストの低減を両立させるとともに、測定精度の向上を図ることを目的とする。
【課題を解決するための手段】
【００１１】
上記の目的を達成するために、本発明に係るセンサは以下のような構成を備える。即ち、
表裏に配線可能なプリント基板が複数積層された多層構造によって構成されたセンサであって、
前記複数積層されたプリント基板のうち、被検者の体表面に接触する第１の面を有する第１の段に配されたプリント基板は、該第１の面と反対側の第２の面に、被検者の体表面の静電容量を測定するための２つの櫛形の電極が、それぞれの櫛歯が互い違いになるように配置されており、かつ
前記２つの櫛形の電極は、それぞれ、幅が０．２ｍｍ〜０．８ｍｍ、長さが４ｍｍ〜６ｍｍの櫛歯が、０．２ｍｍ〜０．８ｍｍの間隔で６本配されてなることを特徴とする。
【発明の効果】
【００１２】
本発明によれば、体内水分計において、センサ部の耐摩耗性の向上と製造コストの低減を両立させることが可能になるとともに、測定精度の向上を実現することができる。
【図面の簡単な説明】
【００１３】
【図１】本発明の第１の実施形態にかかる体内水分計の外観構成を示す図である。
【図２】体内水分計の機能構成を示す図である。
【図３】体内水分計の測定回路を説明するための図である。
【図４】センサ部の接触面における電極配置を説明するための図である。
【図５Ａ】櫛形電極の配置を示す図である。
【図５Ｂ】櫛形電極の配置パターンを示す図である。
【図６Ａ】一般的なセンサ部の断面構成を示す図である。
【図６Ｂ】センサ部の断面構成を示す図である。
【図７】体内水分計の動作を説明するための図である。
【図８】測定情報のデータ構成を示す図である。
【発明を実施するための形態】
【００１４】
以下、本発明の各実施形態について図面を参照しながら説明する。
【００１５】
［第１の実施形態］
＜１．体内水分計の外観構成＞
図１は、本実施形態に係る体内水分計１００の外観構成の一例を示す図である。体内水分計１００は、被検者の体表面である腋窩の皮膚にセンサ部を接触させ、センサ部において供給した電気信号に応じた物理量を検出することで被検者の体内の水分量を検出する。本実施形態に係る体内水分計１００では、当該物理量（生体内の水分に関するデータ）として被検者の静電容量を測定することにより、腋窩の皮膚の湿り具合を検出し、体内の水分量を算出する。
【００１６】
図１に示すように、体内水分計１００は本体部１１０と挿入部１２０とを備える。本体部１１０は、上面１１４、下面１１５、側面１１６、１１７がそれぞれ長軸方向（不図示）に略平行に形成されており、全体として、直線状に形成されている。また、本体部１１０の筐体表面には、各種ユーザインターフェースが配置され、筐体内部には体内の水分量を算出するための電子回路が収納されている。
【００１７】
図１の例では、ユーザインターフェースとして、電源スイッチ１１１及び表示部１１２が示されている。電源スイッチ１１１は、本体部１１０の後端面１１３の凹部に配されている。このように凹部に電源スイッチ１１１を配する構成とすることで、電源スイッチ１１１の誤操作を防ぐことができる。なお、電源スイッチ１１１がオンされると後述の電源部２１１（図２）から体内水分計１００の各部への電源供給が開始され、体内水分計１００は動作状態となる。
【００１８】
表示部１１２は、本体部１１０の側面１１７上において、長軸方向のやや前方側に配されている。これは、体内水分計１００を用いて被検者の体内水分量を測定するにあたり、測定者が把持領域１１８を把持した場合であっても、測定者の把持した手で表示部１１２が完全に覆われることがないようにするためである（把持した状態でも測定結果が視認できるようにするためである）。
【００１９】
表示部１１２には、今回の水分量の測定結果１３１が表示される。また、参考として前回の測定結果１３２もあわせて表示される。さらに、電池表示部１３３には、電池（図２の電源部２１１）の残量が表示される。また、無効な測定結果が得られた場合や測定エラーが検出された場合には、表示部１１２に“Ｅ”が表示され、その旨がユーザに報知される。なお、表示部１１２に表示される文字等は、本体部１１０の上面１１４側を上とし、下面１１５側を下として、表示されるものとする。
【００２０】
体内水分計１００の挿入部１２０は、上面１２４及び下面１２５が曲面形状を有しており、本体部１１０に対して、全体として、下向きに緩やかに湾曲している。挿入部１２０の先端面１２２には、検出部１２１がスライド可能に保持されている。
【００２１】
検出部１２１は、先端面１２２に略平行な面を有するセンサ部１２３を有しており、センサ部１２３の皮膚への密着を保証する上での押圧を確保するため、不図示のばねにより、矢印１４１ｂの方向へ付勢されている（たとえば１５０ｇｆ程度の付勢力）。そして、センサ部１２３が被検者の腋窩の皮膚に押し当てられると、検出部１２１が矢印１４１ａの方向（先端面１２２と略直交する方向、すなわち先端面１２２の法線方向）に所定量（例えば１ｍｍ〜１０ｍｍ、本実施形態では５ｍｍ）スライドし、これにより測定が開始されるよう構成されている（以下、矢印１４１ａの方向をスライド方向と称す）。
【００２２】
具体的には、ユーザが電源スイッチ１１１をオンして体内水分計１００を動作状態とした後、センサ部１２３を被検者の腋窩に所定時間以上（例えば２秒以上）押し当てられたことが検知されると、体内水分量の測定が開始される。あるいは、ユーザが電源スイッチ１１１をオンして体内水分計１００を動作状態とした後、センサ部１２３を被検者の腋窩に所定負荷（例えば２０ｇｆ〜２００ｇｆ、さらに好ましくは１００ｇｆ〜１９０ｇｆ、本実施形態では１５０ｇｆ）で押し当てたことが検知されると、体内水分量の測定が開始される。このような仕組みにより、測定時におけるセンサ部１２３の腋窩への密着の程度を一定にすることができる。
【００２３】
なお、センサ部１２３の被検者との接触面には、電極が敷設されているが、センサ部１２３の詳細構成は後述するものとする。
【００２４】
＜２．体内水分計の機能構成＞
図２は、本実施形態に係る体内水分計１００の機能構成例を示すブロック図である。図２において、制御部２０１は、ＣＰＵ２０２、メモリ２０３を有し、ＣＰＵ２０２はメモリ２０３に格納されているプログラムを実行することにより、体内水分計１００における種々の制御を実行する。
【００２５】
例えば、ＣＰＵ２０２は、図７のフローチャートにより後述する表示部１１２の表示制御、ブザー２２２やＬＥＤランプ２２３の駆動制御、体内水分量の測定（本実施形態では静電容量測定）などを実行する。メモリ２０３は、不揮発性メモリと揮発性メモリとを含み、不揮発性メモリはプログラムメモリとして、揮発性メモリはＣＰＵ２０２の作業メモリとして利用される。
【００２６】
電源部２１１は、交換が可能なバッテリー、或いは充電が可能なバッテリーを有しており、体内水分計１００の各部へ電源を供給する。電圧レギュレータ２１２は、制御部２０１等へ一定電圧（例えば、２．３Ｖ）を供給する。電池残量検出部２１３は、電源部２１１から供給される電圧値に基づいて、電池の残量を検出し、その検出結果を制御部２０１に通知する。制御部２０１は、電池残量検出部２１３からの電池残量検出信号に基づいて、電池表示部１３３の表示を制御する。
【００２７】
電源スイッチ１１１が押下されると、各部への電源部２１１からの電力供給が開始される。そして、制御部２０１は、電源スイッチ１１１のユーザによる押下が１秒以上継続したことを検出すると、電源部２１１からの各部への電源供給を維持させ、体内水分計１００を動作状態とする。上述したように、測定スイッチ２１４は、検出部１２１が矢印１４１ａの方向へ所定量以上押されるとオン状態になる。制御部２０１は、測定スイッチ２１４のオン状態が所定時間（例えば２秒）継続すると、水分量の測定を開始する。なお、電源部２１１の消耗を防止するために、体内水分計１００が動作状態になってから５分経過しても測定開始とならない場合は、制御部２０１は自動的に体内水分計１００を電源オフの状態へと移行させる。
【００２８】
測定回路２２１は、センサ部１２３と接続され、静電容量を測定する。図３は、測定回路２２１の構成例を示す図である。図３に示すように、インバータ３０１、３０２、抵抗３０３、３０４、被検者容量３１０によりＣＲ発振回路が形成される。被検者容量３１０によって出力信号３０５の発振周波数が変化するので、制御部２０１は、出力信号３０５の周波数を測定することにより、被検者容量３１０を算出する。なお、本実施形態のセンサ部１２３は、２つの櫛形の電極が、それぞれの櫛歯が互い違いに並ぶように配置されてなるものとする。
【００２９】
図２に戻る。表示部１１２は、図１で説明したような表示を制御部２０１の制御下で行う。ブザー２２２は、検出部１２１の押下による測定の開始や、体内水分量の測定が完了した際に鳴動し、測定の開始や完了をユーザに通知する。ＬＥＤランプ２２３もブザー２２２と同様の通知を行う。すなわち、ＬＥＤランプ２２３は、検出部１２１の押下による測定の開始や、体内水分量の測定が完了した際に点灯し、測定の開始や完了をユーザに通知する。計時部２２４は、電源がオフの状態であっても電源部２１１からの電源供給を受けて動作し、動作状態においては時刻を制御部２０１に通知する。
【００３０】
＜３．センサ部の接触面の電極配置＞
次にセンサ部１２３の電極配置について図４を用いて説明する。図４は、センサ部１２３の接触面における電極配置を説明するための図である。図４に示すように、本実施形態に係る体内水分計１００では、センサ部１２３に、表裏に配線可能なプリント基板（縦８〜１２ｍｍ、好ましくは１１ｍｍ、横５〜８ｍｍ、好ましくは８ｍｍのガラスエポキシ基板）４００が配されており、当該プリント基板４００上に櫛形電極４１０と櫛形電極４２０とが、それぞれの櫛歯が互い違いに並ぶように配置されている。
【００３１】
櫛形電極４１０及び４２０は、それぞれ、櫛歯部４１１、４２１と、長辺部４１２、４２２とから構成されており、本実施形態において櫛形電極４１０の長辺部４１２と櫛形電極４２０の長辺部４２２とは、４〜６ｍｍ、好ましくは６ｍｍの間隔で配置されている。
【００３２】
なお、図４の例では、櫛形電極４１０及び４２０はそれぞれ、櫛歯が９本配された場合について示しているが、本発明はこれに限定されず、４本から１６本の間であればよく、好適には、６本であることが望ましい。
【００３３】
このように、最適な櫛歯の数を有する櫛形電極４１０及び４２０を配することで、被検者の腋窩にて体内水分量を精度よく測定することができる。
【００３４】
＜４．センサ部の電極配置の詳細＞
次に、センサ部１２３の電極配置の更なる詳細について図５Ａ、図５Ｂ及び図６Ａ、図６Ｂを用いて説明する。図５Ａは、図４の参照番号４３１に示す平面領域の詳細構成の一例を示す図であり、図６Ｂは、図４のＡ−Ａ断面の詳細構成の一例を示す図である。
【００３５】
はじめに、平面領域４３１の詳細構成の一例について説明する。図５Ａに示すように、櫛形電極４１０及び４２０は、それぞれの櫛歯の幅（ａ）が０．４ｍｍであり、長さ（ｂ）が５ｍｍに構成されている。上述したように、櫛形電極４１０の長辺部４１２と櫛形電極４２０の長辺部４２２との間隔は６ｍｍであることから、櫛形電極４２０の櫛歯の先端から、櫛形電極４１０の長辺部４１２の中心線までの距離（ｃ）は、０．６ｍｍとなっている。
【００３６】
また、櫛形電極４１０及び４１０のそれぞれの櫛歯の間隔（ｄ）は、１．２ｍｍの等間隔で配置されており、櫛形電極４１０の各櫛歯は、対向する櫛形電極４２０の各櫛歯の間において、中央位置に配置されている。上述したように、櫛形電極４１０及び４２０の櫛歯は、幅（ａ）が０．４ｍｍであるため、櫛形電極４１０の櫛歯と櫛形電極４２０の櫛歯との間隔（ｅ）は、互いに、０．４ｍｍ間隔で隣接することとなる。
【００３７】
なお、図５Ａに示す電極配置は一例であり、例えば、図５Ｂに示す６パターンにより櫛形電極４１０及び４２０を構成・配置してもよい。ただし、櫛形電極４１０及び４２０の構成・配置は、体内水分量の測定精度に影響するものであり、後述するセンサ部１２３の断面構成のもとでは、図５Ｂに示す６パターンのうち、パターン４が最も適していることが実験的に求められている（パターン４は、所定の範囲内で水分量を変動させた場合の検出値の変動範囲が最も広く（変動率が最も大きく）、より高い分解能を実現できる）。
【００３８】
続いて、センサ部１２３の断面構成について説明する。図６Ａは、本実施形態に係る体内水分計１００のセンサ部１２３の断面構成を説明するにあたり、比較対象として、一般的なプリント基板（表裏に配線可能なプリント基板）を用いてセンサ部を実現する場合の、２層基板と４層基板の例を示した図である。
【００３９】
図６Ａの（Ａ）に示すように、２層基板によりセンサ部１２３を実現する場合、通常、プリント基板６１２の表面に電極６１３を配し、反対側の面（裏面）に電極６１３を印加するための配線６１４を配する。また、表面に配した電極６１３を保護するために、保護材６１１を塗布する。
【００４０】
また、図６Ａの（Ｂ）に示すように、４層基板によりセンサ部１２３を実現する場合、通常、プリント基板６２２の表面に電極６１３を配し、裏面およびプリント基板６２５の表裏面に、電極６１３を印加するための各種配線６２４を配する。また、プリント基板６２２の表面に配した電極６１３を保護するために、保護材６２１を塗布する。
【００４１】
そして、プリント基板６２２とプリント基板６２５とを、絶縁材６２６を介して積層することで、４層構造を実現する。
【００４２】
このように、表裏に配線可能なプリント基板を用いてセンサ部を実現する場合、第１の層（プリント基板６１２の表面、あるいはプリント基板６２２の表面）に電極６１３を配し、その上に保護材６２１を塗布するのが一般的である。
【００４３】
しかしながら、このようにしてセンサ部１２３を構成した場合、保護材６１１または６２１が摩耗したり破損したりすることで、電極６１３の一部が剥き出しの状態となりやすく、そこから静電気が入った場合には、体内水分計１００の内部の回路が破壊される恐れがある。このため、本実施形態に係る体内水分計１００では、センサ部１２３を、図６Ｂに示すような断面構成を有するように構成した。
【００４４】
図６Ｂは、本実施形態に係る体内水分計１００のセンサ部１２３の断面構成を示す図である。
【００４５】
図６Ｂにおいて、７２１は４層基板の第１の層及び第２の層を形成するプリント基板であり、表面（つまり、第１の層）には電極が配されておらず、裏面（つまり、第２の層）に電極６１３が配されている。
【００４６】
また、７２５は４層基板の第３の層及び第４の層を形成するプリント基板であり、表裏面（第３及び第４の層）には、電極６１３を印加するための各種配線７２４が配されている。
【００４７】
そして、プリント基板７２１とプリント基板７２５とを、絶縁材７２６を介して積層することで、４層構造を実現する。
【００４８】
このように、本実施形態に係る体内水分計１００では、センサ部１２３を４層基板により構成するにあたり、第２の層に電極６１３を配する構成とした。これにより、被検者の体内水分量を測定するにあたり、保護材と比較して耐摩耗性を有するプリント基板７２５の表面が被検者の体表面に接触することとなり、従来のように、保護材の摩耗や損傷により、電極６１３の一部が剥き出しの状態となることを回避させることが可能となる。
【００４９】
また、従来のように、保護材６２１を塗布する場合には、プリント基板６１２または６２２に対する保護材６２１の位置合わせが困難であったり、保護材６２１の厚さを均一にすることが困難であるといった製造上の短所があったところ、上記のようにプリント基板を積層するだけの製造工程の場合、製造が容易であり、製造コストも削減できるといった利点がある。
【００５０】
＜５．体内水分計の動作＞
以上のような構成を備えた、本実施形態に係る体内水分計１００の動作を、図７のフローチャートを参照して説明する。
【００５１】
ステップＳ７０１では、制御部２０１が、測定開始の指示を検出する。本実施形態では、測定スイッチ２１４の状態を監視し、測定スイッチ２１４のオン状態が２秒以上継続した場合に測定開始の指示を検出したと判定する。制御部２０１は、測定開始の指示を検出すると、ステップＳ７０２において、測定回路２２１からの出力信号３０５の発振周波数を測定する。
【００５２】
ステップＳ７０３では、ステップＳ７０２において測定された出力信号３０５の発振周波数に基づいて、被検者の体内水分量を算出する。
【００５３】
ステップＳ７０４では、ステップＳ７０３で算出された体内水分量が所定の閾値を超えるか否かに基づいて被検者が脱水状態か否かを判定する。なお、この場合の閾値とは、例えば、水を１００％、空気を０％とした時の３５％に相当する値が望ましい。
【００５４】
ステップＳ７０５では、今回の測定情報をメモリ２０３に格納する。図８は、メモリ２０３に格納される測定情報のデータ構成を示す図である。図８において、測定値８０１は、今回の測定により算出された体内水分量である。判定結果８０２は、今回の測定により算出された体内水分量に対して、ステップＳ７０４において判定された、脱水状態か非脱水状態かを示す情報である。測定時刻８０３は、今回の測定において計時部２２４から通知された時刻を示す情報である。測定時刻８０３としては、例えば、ステップＳ７０２において測定を実行した時点で計時部２２４から通知されている時刻とすることができる。
【００５５】
ステップＳ７０６では、今回の測定により算出された体内水分量を表示部１１２に表示する。このとき、脱水状態か非脱水状態かの判定結果に応じた表示形態により表示を行う（例えば、脱水状態の場合には、赤色にて体内水分量を表示し、非脱水状態の場合には、青色にて体内水分量を表示する）。
【００５６】
以上の説明から明らかなように、本実施形態に係る体内水分計１００は、センサ部１２３の耐摩耗性の向上と製造コストの低減を両立させるべく、
・プリント基板を用いた４層構造とした。
・４層基板の第１の層には電極を配置せず、第２の層に電極を配置する構成とした。
・電極を印加するための配線を、第３または第４の層に配置する構成とした。
【００５７】
また、測定精度を向上させるべく、
・第２の層の電極がプリント基板（ガラスエポキシ基板）を介して被検者の静電容量を測定するにあたり、最適な電極配置を実験的に求めた。
・縦１１ｍｍ、横８ｍｍのプリント基板に対して、櫛歯の数を４〜１６本、櫛歯の幅を０．２〜０．８ｍｍ、櫛歯の間隔を０．２〜０．８ｍｍ、櫛歯の長さを４〜６ｍｍとして櫛形電極を形成することで、被検者の体内水分量を測定可能であることわかった。
・更に、縦１１ｍｍ、横８ｍｍのプリント基板に対して、櫛歯の数を６本、櫛歯の幅を０．４ｍｍ、櫛歯の間隔を０．４ｍｍ、櫛歯の長さを４ｍｍとして櫛形電極を形成することが最適であることがわかった。
【００５８】
［第２の実施形態］
上記第１の実施形態では、プリント基板を２段にして４層構造を形成した場合について説明したが、本発明はこれに限定されない。例えば、プリント基板を複数積層し、多層構造を形成した場合（プリント基板をｎ段として、２ｎ層構造を形成した場合）においても同様である。
【００５９】
つまり、第１の段のプリント基板の表面（第１の層）には、電極を配置せず、第１の段のプリント基板の裏面（第２の層）に電極を配置することで、センサ部１２３を形成することで、上記第１の実施形態と同様の効果が得られる。
【００６０】
また、上記第１の実施形態では、プリント基板７２１の厚さについて言及しなかったが、プリント基板７２１の厚さは、例えば、０．６〜１．５ｍｍであることが望ましく、好適には、１．２ｍｍであることが好ましい。
【符号の説明】
【００６１】
１００：体内水分計、１１０：本体部、１１１：電源スイッチ、１１２：表示部、１１３：後端面、１１４：上面、１１５：下面、１１６：側面、１１７：側面、１１８：把持領域、１２０：挿入部、１２１：検出部、１２２：先端面、１２３：センサ部、１２４：上面、１２５：下面、４００：プリント基板、４１０：櫛形電極、４１１：櫛歯部、４１２：長辺部、４２０：櫛形電極、４２１：櫛歯部、４２２：長辺部、６１１：保護材、６１２：プリント基板、６１３：電極、６１４：配線、６２１：保護材、６２２：プリント基板、６２４：配線、６２５：プリント基板、６２６：絶縁材、７２１：プリント基板、７２４：配線、７２５：プリント基板、７２６：絶縁材
【図１】
2015097546.tif 000003
【図２】
2015097546.tif 000004
【図３】
2015097546.tif 000005
【図４】
2015097546.tif 000006
【図５Ａ】
2015097546.tif 000007
【図５Ｂ】
2015097546.tif 000008
【図６Ａ】
2015097546.tif 000009
【図６Ｂ】
2015097546.tif 000010
【図７】
2015097546.tif 000011
【図８】
2015097546.tif 000012